(57)【要約】【課題】対象物を取り出す際には簡単かつスピーディーに行え、対象物を収容する際には容器内から容易に抜け落ちないものとした椀子形状を有する対象物を携行可能な収容容器を提供する。【解決手段】胸パッド１を独立して収容可能な複数の収容部１１を備え、前記夫々の収容部は、胸パッドと近似した湾曲形状の内面形状に形成された収容部本体１２と、前記胸パッドを挿入する挿入口１３を一部に備えて、前記収容部本体の上方を覆う表面部１５とで構成されており、該表面部の端縁には、胸パッドを挿入する際には、外方に向けて湾曲して挿入口を大きく開放すると共に、挿入後には内方に向けて湾曲して胸パッドの少なくとも一部を押圧保持する押圧保持部１４を備えてなる。【選択図】図４
0003107106.tif 000002
【実用新案登録請求の範囲】
【請求項１】
椀子状の外観形状を有する対象物を収容保持可能な収容部を備え、
前記収容部は、
前記対象物の椀子状の外観形状と略同等若しくは近似した湾曲形状の内面形状に形成された収容部本体と、
前記対象物を挿入する挿入口を一部に備えて、前記収容部本体の上方を覆う表面部とで構成されており、
該表面部の端縁には、対象物を挿入する際には、外方に向けて湾曲して挿入口を大きく開放すると共に、挿入後には内方に向けて湾曲して対象物の少なくとも一部を押圧保持する押圧保持部を備えてなることを特徴とする携行用収容容器。
【請求項２】
押圧保持部には、挿入口開放用の持ち上げフラップを具備することを特徴とする請求項１に記載の携行用収容容器。
【請求項３】
表面部がメッシュ状に構成されていることを特徴とする請求項１又は２のいずれかに記載の携行用収容容器。
【請求項４】
表面部の外側には、ポケット部が具備されていることを特徴とする請求項１乃至３のいずれかに記載の携行用収容容器。
【請求項５】
対象物が軟質性材料からなるものであることを特徴とする請求項１乃至４のいずれかに記載の携行用収容容器。
【請求項６】
ベルトレスブラジャーを構成する椀子形状の胸パッドであることを特徴とする請求項５に記載の携行用収容容器。
【請求項７】
一対の胸パッドが連結部材により係合・離反するベルトレスブラジャーを収納する容器であって、
連結部材から分離した状態で夫々の胸パッドを独立して収容可能な複数の収容部を備え、
前記夫々の収容部は、
前記椀子形状の外観形状を有する胸パッドと略同等若しくは近似した湾曲形状の内面形状に形成された収容部本体と、
前記胸パッドを挿入する挿入口を一部に備えて、前記収容部本体の上方を覆う表面部とで構成されており、
該表面部の端縁には、胸パッドを挿入する際には、外方に向けて湾曲して挿入口を大きく開放すると共に、挿入後には内方に向けて湾曲して胸パッドの少なくとも一部を押圧保持する押圧保持部を備えてなることを特徴とする携行用収容容器。
【請求項８】
夫々の収容部の周囲に設けられ、夫々の収容部の表面部を対向させて重ね合わせた際に、その周囲を閉じるファスナを具備することを特徴とする請求項７に記載の携行用収容容器。
【請求項９】
収容部がハードケースであることを特徴とする請求項１乃至８のいずれかに記載の携行用収容容器。
【請求項１０】
手提げ部を具備することを特徴とする請求項１乃至９のいずれかに記載の携行用収容容器。
【請求項１１】
押圧保持部は、該押圧保持部が掛け渡されている収容部本体の相対する上縁間の幅長さよりも長尺状に形成されていることを特徴とする請求項１乃至１０のいずれかに記載の携行用収容容器。
【考案の詳細な説明】
【技術分野】
【０００１】
本考案は、携行用（携帯用ともいう。）収容容器、詳しくは椀子形状を有する対象物（被収容物）を出し入れ可能に収容することを可能とした携行用の収容容器に関する。
【背景技術】
【０００２】
椀子形状を有する対象物として、例えば、昨今女性の間で話題となっている「ヌーブラ」（登録商標）と称されるベルトレスブラジャーがある。
このベルトレスブラジャーは、図７に示すように、一対の乳房と対応する一対の椀子形状の胸パッド１，１のみで構成され、夫々の胸パッドは、シリコンなどで軟質に形成されると共に、その内面（肌接着面）は高い粘着性を有している。
そして夫々の胸パッド１，１の端部に設けた連結部材３，３を連結することで、肩ひも（ショルダーストラップ）や背中部分のひも（ベルト）のないタイプのブラジャーを構成している（特許文献１，２参照）。
【特許文献１】実用新案登録第３０９８０７５号
【特許文献２】実用新案登録第３１００８４１号
【考案の開示】
【考案が解決しようとする課題】
【０００３】
しかし、このようなベルトレスブラジャーを携行可能に収容するにあたって、胸パッド１の内面が高い粘着性を有しているので、例えば、胸パッド１同士をそのまま重ねて携行した場合には、両者がひっついたり、あるいは粘着面にごみや細かい繊維などが付着して粘着性を低下させるという問題がある。このような問題は、収容容器に夫々独立して収容した状態で携行できれば解決されるため、携行可能な収容容器の出現が望まれている。
さらに、このような椀子形状の対象物を収容する容器を提供するにあたって、本願の考案者は、次のような課題に当面した。
例えば、前記胸パッドなどを確実に装着するには、裸になって胸を露出させた状態で行うのが最も好ましい。しかし、装着時において胸を露出させる時間は、女性としてはできる限り短時間にしたいものである。
よって、椀子形状の対象物を簡単かつスピーディーに取り出すことが出来、かつ収容時には容易に抜け落ちないように保持することが必要であった。
【０００４】
本考案は、以上のような事情に基づいてなされたものであって、その目的は、対象物を取り出す際には簡単かつスピーディーに行え、対象物を収容する際には容器内から容易に抜け落ちないものとした椀子形状を有する対象物を携行可能な収容容器を提供することにある。
【課題を解決するための手段】
【０００５】
前記課題を解決するために本考案がなした第１の考案は、椀子状の外観形状を有する対象物を収容保持可能な収容部を備え、前記収容部は、前記対象物の椀子状の外観形状と略同等若しくは近似した湾曲形状の内面形状に形成された収容部本体と、前記対象物を挿入する挿入口を一部に備えて、前記収容部本体の上方を覆う表面部とで構成されており、該表面部の端縁には、対象物を挿入する際には、外方に向けて湾曲して挿入口を大きく開放すると共に、挿入後には内方に向けて湾曲して対象物の少なくとも一部を押圧保持する押圧保持部を備えてなることを特徴とする携行用収容容器としたことである。
本考案よれば、押圧保持部を外方に向けて湾曲させることで挿入口が大きく開くため、収容時において対象物の挿入が容易となり、また挿入後においては、押圧保持部を内方に向けて湾曲させることで、該押圧保持部が対象物の少なくとも一部を押圧保持するため、収容容器内から対象物がずれ落ちることもない。
【０００６】
第２の考案は、第１の考案において、押圧保持部には、挿入口開放用の持ち上げフラップを具備することを特徴とする携行用収容容器としたことである。本考案によれば、対象物収容時において、押圧保持部を容易に持ち上げて外方に湾曲させることが出来るため対象物の収容作業が簡単かつスピーディーに行える。
【０００７】
第３の考案は、第１又は第２の考案において、表面部がメッシュ状に構成されていることを特徴とする携行用収容容器としたことである。本考案によれば、通気性を良好にしている。
【０００８】
第４の考案は、第１乃至第３のいずれかの考案において、表面部の外側には、ポケット部が具備されていることを特徴とする携行用収容容器としたことである。これにより、ポケット部には小物などを入れて携行することができる。
【０００９】
第５の考案は、第１乃至第４のいずれかの考案において、対象物が軟質性材料からなるものであることを特徴とする携行用収容容器としたことである。本考案によれば、対象物が軟質性材料からなるものであっても、簡単かつスピーディーに収容でき、かつ収容後には容易に収容部内から対象物がずれ落ちないように保持することができる。
【００１０】
第６の考案は、第５の考案において、ベルトレスブラジャーを構成する椀子形状の胸パッドであることを特徴とする携行用収容容器としたことである。本考案によれば、胸パッドを簡単かつスピーディーに収容でき、かつ収容後には容易に収容部内からずれ落ちないように保持することができる。
【００１１】
第７の考案は、一対の胸パッドが連結部材により係合・離反するベルトレスブラジャーを収容する容器であって、連結部材から分離した状態で夫々の胸パッドを独立して収容可能な複数の収容部を備え、前記夫々の収容部は、前記椀子形状の外観形状を有する胸パッドと略同等若しくは近似した湾曲形状の内面形状に形成された収容部本体と、前記胸パッドを挿入する挿入口を一部に備えて、前記収容部本体の上方を覆う表面部とで構成されており、該挿入口の端縁には、胸パッドを挿入する際には、外方に向けて湾曲して挿入口を大きく開放すると共に、挿入後には内方に向けて湾曲して胸パッドの少なくとも一部を押圧保持する押圧保持部を備えてなることを特徴とする携行用収容容器としたことである。
本考案によれば、その携行の際には胸パッドを離した後、夫々収容部に独立させて別個に収容することができる。また、押圧保持部を外方に向けて湾曲させることで挿入口が大きく開くため、胸パッドの挿入が容易となり、また挿入後においては、押圧保持部を内方に向けて湾曲させることで、該押圧保持部が胸パッドの少なくとも一部を押圧保持するため、収容容器内から胸パッドがずれ落ちることがない。
【００１２】
第８の考案は、第７の考案において、夫々の収容部の周囲に設けられ、夫々の収容部の表面部を対向させて重ね合わせた際に、その周囲を閉じるファスナを具備することを特徴とする携行用収容容器としたことである。本考案によれば、外部からの塵・埃などが収容部内に侵入することが防げ、対象物の汚れ防止が図れる。
【００１３】
第９の考案は、第１乃至第８のいずれかの考案において、収容部がハードケースであることを特徴とする携行用収容容器としたことである。
これにより、外部からの衝撃から対象物を保護することができる。
【００１４】
第１０の考案は、第１乃至第９のいずれかの考案において、手提げ部を具備することを特徴とする携行用収容容器としたことである。
これにより、収容容器の携行性が向上する。
【００１５】
第１１の発明は、第１乃至第１０のいずれかの考案において、押圧保持部は、該押圧保持部が掛け渡されている収容部本体の相対する上縁間の幅長さよりも長尺状に形成されていることを特徴とする。携行用収容容器としたことである。
【考案の効果】
【００１６】
本考案によれば、対象物を取り出す際には簡単かつスピーディーに行え、対象物を収容する際には容器内から容易に抜け落ちないものとした椀子形状を有する対象物を携行可能な収容容器を提供できる。
【考案を実施するための最良の形態】
【００１７】
以下、本考案携行用収容容器を実施するための最良の形態について、図７に示すベルトレスブラジャーの夫々の胸パッド１，１を、椀子状の外観形状を有する対象物の一例として挙げつつ詳細に説明する。ここで、ベルトレスブラジャーとしては、例えば「ヌーブラ」（登録商標）を例示することができる。
なお、本実施例により本考案が限定されるものではなく、本考案の範囲内で設計変更可能である。また、下記実施例における構成要素には、当業者が容易に想定できるもの、あるいは実質的に同一のものが含まれる。
【実施例】
【００１８】
図１及び図２に示すように、本実施例にかかる収容容器１０は、連結部材３から分離した胸パッド１，１を夫々収容する一対の収容部１１，１１を備えてなる。なお、図中符号２０は、収容部１１，１１を連結する連結部を図示する。
【００１９】
収容部１１は、胸パッド１の椀子状の外観形状と略同一若しくは近似した湾曲状の内面形状に形成された収容部本体１２と、該収容部本体１２の上方を覆うべく備えられた表面部１５とで構成されている。また、本実施例では、収容部本体１２の外観形状も椀子状としているが、特に限定解釈はされず他の任意形状が選択可能である。
【００２０】
収容部本体１２は、外部からの衝撃から胸パッド１を保護するように、合成繊維の積層構造体または樹脂製のハードケースとしてもよい。積層体構造としては、例えばＥＶＡ，ナイロン、ポリエステルの積層構造体を例示することができる。
また、特に限定はされないが、収容部本体１２の内面は、胸パッド１などの軟質性材料からなる椀子状の外観形状を有した対象物の収容・取出し時における滑りを良くするために、滑り性の良い材料を選択すると好ましい。また、滑り性を良くするために収容部本体１２の内面にコーティング層を形成することも可能である。前記滑り性の良い材料およびコーティング層を構成する材料は、周知の材料が本考案の範囲内で選択される。
【００２１】
また、収容部本体１２の周囲には、夫々の収容部本体１２，１２を貝合わせ状態とした際に、その周囲を閉じるスライドファスナ１８が設けられており、収容部本体１２内に汚れが侵入するのを防止している（図６参照）。なお、スライドファスナの代わりに面ファスナ（ベルクロ）であってもよい。より簡易にはホックなどの留め具としてもよい。
【００２２】
表面部１５は、収容部本体１２の上方領域にて、胸パッド１を挿入する挿入口が、連結部２０寄りに備えられる程度の長さをもって形成されている。図中、Ｄ１は上方領域、Ｄ２は表面部領域、Ｄ３は挿入口領域を夫々示す。
表面部１５は、本実施例ではメッシュ部材からなり、収容部本体１２内の通気性を良好としている。また、メッシュ部材からなるので、胸パッド１の接着面が付着するようなこともない。
なお本実施例において、表面部１５にはポケット部１６がその外側に設けられており、アクセサリなどの小物類を収納することができるようにしている。
本実施例ではこのポケット部１６もメッシュ部材で形成されている。ポケット部１６の構造は特に限定されず任意であり、またポケット部１６は設けなくとも良い。
【００２３】
表面部１５の端縁には、胸パッド１を挿入する際には外方に向けて湾曲して挿入口１３を大きく開放すると共に、挿入後には内方に向けて湾曲して胸パッド１の上縁又は内面の少なくとも一部を押圧保持する押圧保持部１４を備えている。
【００２４】
押圧保持部１４は、該押圧保持部１４が掛け渡されている収容部本体１２の上縁１２ａ，１２ａ間の幅Ｗ１よりも長尺状に形成した可撓性部材を内装して構成している。
可撓性部材は、合成樹脂材からなる長尺状のワイヤが一例として挙げられるが、可撓性を有するものであれば、合成樹脂材若しくは金属材などからなる板バネ、コイルスプリングなど本考案の範囲内で設計変更可能である。
このように押圧保持部１４を備えることで、表面部１５の端縁は撓み易く構成されている。従って、押圧保持部１４を外方に向けて引き上げれば、該押圧保持部１４の撓みが伸張しようとする力によって該押圧保持部１４を備えた表面部１５の端縁が外方に向けて湾曲し、挿入口１３の開放割合を大きくすることができる（図３）。これにより胸パッド１の挿入（図４）が容易になる。また、胸パッド１の収容部本体１２内への挿入後は、押圧保持部１４を内方に向けて押し下げれば、該押圧保持部１４の撓みが伸張しようとする力によって該押圧保持部１４を備えた表面部１５の端縁が内方に向けて湾曲し、押圧保持部１４（表面部１５の端縁）が、胸パッド１の少なくとも一部を押圧して保持する（図５）。これにより、胸パッド１が収容部本体１２内から外方に滑り出ないようにしている。
【００２５】
また、押圧保持部１４には持ち上げ用のフラップ１７が設けられており、押圧保持部１４を持ち上げて外方に向けて湾曲させる（挿入口１３の開放割合を大きくする）際の使用勝手を向上させている。
【００２６】
また、押圧保持部１４の押圧強度は、押圧保持部１４が掛け渡されている収容部本体１２の上縁１２ａ，１２ａ間の幅Ｗ１に対する押圧保持部１４の長さ方向幅Ｗ２を長短調整することにより変更できる。すなわち、幅Ｗ２を幅Ｗ１に対して長尺にすればするほど、その押圧強度が上がり、短尺にすればするほど押圧強度を緩やかにすることが出来る。なお、少なくともＷ２＞Ｗ１の関係は具備していることで上述した本考案特有の作用効果が発揮できる。
また、本実施例では上述の通りポケット部１６を設けており、このポケット部１６内にアクセサリなどを収容すれば、その重みにより表面部１５が内方に押し下げられるため、その押し下げられて収容部本体１２内に突出した部分が胸パッド１などの対象物の動きを阻害する。したがって、押圧保持部１４による保持作用と相俟って対象物の抜け出し防止効果が向上する。
【００２７】
なお本実施例では、前記収容部１１の外周のいずれかに手提げ部１９を設け、携行においてぶら下げることを容易にするようにしている。
【００２８】
なお、上述した実施例では、収容部１１を一対として２個備えた形態で説明したが、本考案はこれに限定はされず、収容部１１は単一で構成されているものであってもよく、また３個以上備えられているものであっても良く本考案の範囲内で設計変更可能である。
【００２９】
以上のように、本実施例にかかるベルトレスブラジャーの収容容器を用いることにより、胸パッド１の粘着面が汚れることがなく、しかも形状も保持されるので、常に良好な状態で維持することができ、旅行時の携行や長期保管に用いて適している。
【図面の簡単な説明】
【００３０】
【図１】本実施例にかかる収容容器の概略平面図。
【図２】図１のＡ−Ａ線断面図。
【図３】押圧保持部材を外方に湾曲させて挿入口を大きく開放した状態を示す部分斜視図。
【図４】図３の状態で、挿入口から対象物を収容部本体内に挿入している状態を示す部分斜視図。
【図５】押圧保持部を内方に湾曲させて収容部本体内に収容された対象物の一部を押圧保持部によって押圧している状態を示す部分斜視図。
【図６】本実施例の収容容器を閉じた状態の斜視図である。
【図７】ベルトレスブラジャーの斜視図。
【符号の説明】
【００３１】
１  胸パッド（対象物）
１０  収容容器
１１  収容部
１２  収容部本体
１３  挿入口
１４  押圧保持部
１５  表面部
１６ポケット部
１７フラップ
１８ファスナ
１９手提げ部
【図１】
0003107106.tif 000003
【図２】
0003107106.tif 000004
【図３】
0003107106.tif 000005
【図４】
0003107106.tif 000006
【図５】
0003107106.tif 000007
【図６】
0003107106.tif 000008
【図７】
0003107106.tif 000009